(57)【要約】【課題】ユーザ（視聴者）からの操作なくして放送コンテンツの伝送路を切り換え、伝送路を有効利用する。【解決手段】衛星放送によってコンテンツを配信する衛星放送部１１、地上波放送によってコンテンツを配信する地上波放送部１２、ＣＡＴＶ（ケーブルテレビ）によってコンテンツを配信するＣＡＴＶ放送部１３、ネットワークへの接続を仲介するインターネットサービスプロバイダ（ＩＳＰ）１４を有する放送局１０と、各ユーザ（視聴者）側のコンテンツ受信装置２０とを複数伝送路で接続し、放送局１０から放送するデータにこの伝送路を切り換える伝送路情報を挿入する。【選択図】　図１
2004135170.tif 000002
【特許請求の範囲】
【請求項１】
放送コンテンツをデジタル化して送受するデジタル放送システムであって、放送コンテンツを配信する放送局と、この放送局から配信された放送コンテンツを受信する複数の受信装置とを備え、
上記放送局と上記複数の受信装置とが複数の伝送路で接続され、
上記放送局は、
上記放送コンテンツのデータを伝送する伝送路を示す伝送路情報を生成する伝送路情報生成手段と、
上記放送コンテンツのデータに次に送信されるデータの伝送路情報を付加して上記各伝送路にて送信可能なデータ形式に変換するデータ変換手段と、
上記変換された放送コンテンツおよび伝送路情報のデータを送信する送信手段とを備え、
上記受信装置は、
上記放送コンテンツおよび上記伝送路情報のデータを受信する受信手段と、
上記伝送路情報に基づいて次に受信するデータの伝送路を切り換える伝送路切換手段とを備える
ことを特徴とするデジタル放送システム。
【請求項２】
放送コンテンツをデジタル化して複数の受信装置に送信する放送局の送信装置であって、当該放送局と上記受信装置とが複数の伝送路で接続されており、
上記放送コンテンツのデータを伝送する伝送路を示す伝送路情報を生成する伝送路情報生成手段と、
上記放送コンテンツのデータに次に送信されるデータの伝送路情報を付加して上記各伝送路にて送信可能なデータ形式に変換するデータ変換手段と、
上記変換された放送コンテンツおよび伝送路情報のデータを送信する送信手段とを備えることを特徴とする送信装置。
【請求項３】
上記伝送路には、衛星放送波、地上放送波、有線テレビ放送用ケーブル、ネットワーク通信回線が含まれることを特徴とする請求項２記載の送信装置。
【請求項４】
上記伝送路情報には、上記放送コンテンツを送信する際の送信周波数が含まれることを特徴とする請求項２記載の送信装置。
【請求項５】
上記放送コンテンツは、ＭＰＥＧ（Ｍｏｖｉｎｇ　Ｐｉｃｔｕｒｅ　Ｅｘｐｅｒｔｓ　Ｇｒｏｕｐ）形式に準拠して送受され、
上記データ変換手段は、プログラムマップテーブルのカレントネクスト指示内に伝送路の切り換えを示す情報を挿入することを特徴とする請求項２記載の送信装置。
【請求項６】
放送局から放送されるデジタル化された放送コンテンツのデータを受信する受信装置であって、当該受信装置と上記放送局とが複数の伝送路で接続されており、
上記データを受信する受信手段と、
上記データに付加され、上記データの次に送信されるデータの伝送路を示す伝送路情報に基づいて次に受信するデータの伝送路を切り換える伝送路切換手段とを備える
ことを特徴とする受信装置。
【請求項７】
上記伝送路には、衛星放送波、地上放送波、有線テレビ放送用ケーブル、ネットワーク通信回線が含まれることを特徴とする請求項６記載の受信装置。
【請求項８】
上記伝送路情報には、上記放送コンテンツを送信する際の送信周波数が含まれることを特徴とする請求項６記載の受信装置。
【請求項９】
上記放送コンテンツは、ＭＰＥＧ（Ｍｏｖｉｎｇ　Ｐｉｃｔｕｒｅ　Ｅｘｐｅｒｔｓ　Ｇｒｏｕｐ）形式に準拠して送受され、
上記伝送路情報として、プログラムマップテーブルのカレントネクスト指示内に伝送路の切り換えを示す情報を挿入することを特徴とする請求項６記載の受信装置。
【請求項１０】
放送コンテンツをデジタル化して複数の受信装置に送信する放送局の放送コンテンツ送信方法であって、
上記放送コンテンツのデータを伝送する伝送路を示す伝送路情報を生成する伝送路情報生成工程と、
上記放送コンテンツのデータに次に送信されるデータの伝送路情報を付加して上記各伝送路にて送信可能なデータ形式に変換するデータ変換工程と、
上記変換された放送コンテンツおよび伝送路情報のデータを送信する送信工程とを有することを特徴とする放送コンテンツ送信方法。
【請求項１１】
上記伝送路には、衛星放送波、地上放送波、有線テレビ放送用ケーブル、ネットワーク通信回線が含まれることを特徴とする請求項１０記載の放送コンテンツ送信方法。
【請求項１２】
上記伝送路情報には、上記放送コンテンツを送信する際の送信周波数が含まれることを特徴とする請求項１０記載の放送コンテンツ送信方法。
【請求項１３】
上記放送コンテンツは、ＭＰＥＧ（Ｍｏｖｉｎｇ　Ｐｉｃｔｕｒｅ　Ｅｘｐｅｒｔｓ
Ｇｒｏｕｐ）形式に準拠して送受され、
上記データ変換工程では、プログラムマップテーブルのカレントネクスト指示内に伝送路の切り換えを示す情報を挿入することを特徴とする請求項１０記載の放送コンテンツ送信方法。
【請求項１４】
放送局と複数の伝送路で接続されており、上記放送局から放送されるデジタル化された放送コンテンツのデータを受信する受信装置の伝送路切換方法であって、
上記データを受信する受信工程と、
上記データに付加され、上記データの次に送信されるデータの伝送路を示す伝送路情報に基づいて次に受信するデータの伝送路を切り換える伝送路切換工程とを有する
ことを特徴とする伝送路切換方法。
【請求項１５】
上記伝送路には、衛星放送波、地上放送波、有線テレビ放送用ケーブル、ネットワーク通信回線が含まれることを特徴とする請求項１４記載の伝送路切換方法。
【請求項１６】
上記伝送路情報には、上記放送コンテンツを送信する際の送信周波数が含まれることを特徴とする請求項１４記載の伝送路切換方法。
【請求項１７】
上記放送コンテンツは、ＭＰＥＧ（Ｍｏｖｉｎｇ　Ｐｉｃｔｕｒｅ　Ｅｘｐｅｒｔｓ
Ｇｒｏｕｐ）形式に準拠して送受され、
上記伝送路情報として、プログラムマップテーブルのカレントネクスト指示内に伝送路の切り換えを示す情報を挿入することを特徴とする請求項１４記載の伝送路切換方法。
【発明の詳細な説明】
【０００１】
【発明の属する技術分野】
本発明は、衛星放送、地上波放送、ケーブルテレビなど複数の伝送路を介して放送コンテンツを伝送するデジタル放送システム、放送局において放送コンテンツを送信する送信装置、放送局から伝送された放送コンテンツを受信する受信装置、送信装置の放送コンテンツ送信方法、および受信装置の伝送路切換方法に関する。
【０００２】
【従来の技術】
テレビジョン放送では、衛星放送は全国に配信される。これに対して、有線ケーブルテレビ方法では、ケーブルが敷設された限定された地域でのみ受信可能である。地上波放送は、これらの中間的な性質をもっており、ある程度限られた地域に配信される。このように現在のテレビジョン放送では、コンテンツを伝送する伝送路には複数の種類がある。
【０００３】
また、これら複数の伝送路を利用した放送コンテンツの伝送方法に関して、幾つかの技術も提案されている。例えば、伝送される放送コンテンツ自体にコンテンツの切り換え情報を記述する技術として、衛星放送のＣＭ時間に各地方で地方用ＣＭを入れ換える手法が説明されている（例えば、特許文献１参照。）。
【０００４】
また、伝送路間のコンテンツを結合する技術として、インターネットデータをＭＰＥＧストリームにマップし、かつインターネットデータをデジタルビデオストリームと結合する方法が説明されている（例えば、特許文献２参照。）。
【０００５】
このほかに、ＭＰＥＧ（Ｍｏｖｉｎｇ　Ｐｉｃｔｕｒｅ　Ｔｒａｎｓｐｏｒｔ　Ｇｒｏｕｐ）トランスポートストリーム内のプライベートデータとしてＵＲＬ（Ｕｎｉｆｏｒｍ　Ｒｅｓｏｕｒｃｅ　Ｌｏｃａｔｏｒ）を伝送することで、一般的な番組関連情報をＭＰＥＧトランスポートストリームとして伝送し、ユーザに提示する方法も提案されている（例えば、特許文献３参照。）。
【０００６】
【特許文献１】
特開２００１−１０３３８４号公報
【特許文献２】
特開２００２−５１０９１０号公報
【特許文献３】
特開２００２−１９７０１８号公報
【０００７】
【発明が解決しようとする課題】
ところが、上述される従来の放送システムでは、時として複数の伝送路で同じ番組が放送されている場合、例えば、衛星放送と地上波放送とで同一の全国ニュースが配信されているような場合がある。これは周波数の有効利用という点から考えると帯域の浪費である。
【０００８】
同じテレビジョン放送であるにも関わらず、地上波、衛星放送、有線ケーブルテレビ、いわゆるインターネット等のコンピュータネットワークを介して放送コンテンツが伝送されるため、受信側では、伝送路に応じた受信インターフェイスを用意して、使用者自身がこれら複数伝送路から伝送される複数の放送コンテンツの切り換え操作をする必要があった。また、テレビジョン受像機の中には、内部に上記各伝送路に対応した各受信インターフェイスを備えているものもあるが、これらの切り換えは、視聴者（使用者）によって行われるものであることに変わりはない。
【０００９】
また、上記特許文献１では、衛星放送の映像、音声の各ＰＩＤ（パケット識別子）と入れ換えるべき地方用ＣＭのパケット識別子を同一にする必要があり、かつ地方用ＣＭの送信タイミングを厳密に管理する必要があるという問題点があり、
上記特許文献２では、デジタルビデオストリームとインターネットデータを送出側のヘッドエンドシステムで多重化する必要があり、送信設備を大きくしなければならないといった問題点も挙げられる。また、インターネット上で転送可能なインターネットデータを有線放送の同軸ケーブル、電波等の伝送路で転送することになり、伝送帯域の有効利用になっていない。
【００１０】
また、上記特許文献３では、ユーザが番組関連情報を選択した後に受信機を操作することが前提になっており、通常の視聴動作であるチャンネル切り換えより複雑な操作を視聴者が行うことが必要となる。
【００１１】
このように、従来の放送システムでは、伝送媒体が多様化しているために伝送路や、この伝送路の伝送帯域が有効利用されていない。また、複数の伝送路を有効に利用して放送コンテンツを伝送することは、放送局側の機器の負担が増大し、ユーザインターフェイスも複雑化し、ユーザに対して多大な負担となる。
【００１２】
そこで、本発明は、上述した課題に鑑みて提案されたものであり、伝送路を有効利用するとともに、ユーザ（視聴者）からの操作なくして放送コンテンツの伝送路を切り換えることのできるデジタル放送システムを提供することを目的とする。また、放送局において複数の伝送路から最適な伝送路を選択して放送コンテンツを送信することのできる送信装置、および放送局から複数の伝送路切り換えながら伝送された放送コンテンツを受信できる受信装置，放送コンテンツ送信方法、伝送路切換方法を提供することを目的とする。
【００１３】
【課題を解決するための手段】
上述した目的を達成するために、本発明にかかるデジタル放送システムは、放送コンテンツをデジタル化して送受するデジタル放送システムであって、放送コンテンツを配信する放送局と、この放送局から配信された放送コンテンツを受信する複数の受信装置とを備える。放送局と複数の受信装置とは、複数の伝送路で接続され、放送局は、放送コンテンツのデータを伝送する伝送路を示す伝送路情報を生成する伝送路情報生成手段と、放送コンテンツのデータに次に送信されるデータの伝送路情報を付加して各伝送路にて送信可能なデータ形式に変換するデータ変換手段と、変換された放送コンテンツおよび伝送路情報のデータを送信する送信手段とを備える。また、受信装置は、放送コンテンツおよび伝送路情報のデータを受信する受信手段と、伝送路情報に基づいて次に受信するデータの伝送路を切り換える伝送路切換手段とを備える。
【００１４】
ここで、伝送路には、衛星放送波、地上放送波、有線テレビ放送用ケーブル、ネットワーク通信回線が含まれ、伝送路情報には放送コンテンツを送信する際の送信周波数が含まれている。
【００１５】
本発明では特に、放送コンテンツは、ＭＰＥＧ（Ｍｏｖｉｎｇ　Ｐｉｃｔｕｒｅ　Ｅｘｐｅｒｔｓ　Ｇｒｏｕｐ）形式に準拠しており、データ変換手段は、ＩＳＣ／ＩＥＣ　１３８１８−１に規定されるプログラムマップテーブル内に伝送路を切り換えるための記述子を挿入する。
【００１６】
【発明の実施の形態】
本発明にかかるデジタル放送システムは、制作したドラマやスポーツ中継といった放送コンテンツを配信する放送局と、この放送局からの放送コンテンツを受信するユーザ（視聴者）側のコンテンツ受信装置とが、衛星放送波、地上波、ケーブルなど複数の伝送路（伝送媒体）で接続され、デジタル化された放送コンテンツが配信される放送システムであり、コンテンツ受信装置側で受信する放送コンテンツが配信される伝送媒体が放送局側で制御できることを特徴としている。
【００１７】
本具体例として説明するデジタル放送システムでは、放送局とコンテンツ受信装置との間で送受される放送コンテンツの映像及び音声データは、ＭＰＥＧ（Ｍｏｖｉｎｇ　Ｐｉｃｔｕｒｅ　Ｅｘｐｅｒｔ　Ｇｒｏｕｐ）規格に準拠しており、これら放送用データは、このＭＰＥＧ形式に基づくＴＳ（Ｔｒａｎｓｐｏｒｔ　Ｓｔｒｅａｍ）形式に則って配信されることを前提とする。
【００１８】
以下、図面を参照して本発明を適用したデジタル放送システムについて説明する。
【００１９】
本発明の具体例として示すデジタル放送システムは、図１に示すように、放送局１０と、各ユーザ（視聴者）側のコンテンツ受信装置２０とからなり、放送局１０は、衛星放送によってコンテンツを配信する衛星放送部１１、地上波放送によってコンテンツを配信する地上波放送部１２、ＣＡＴＶ（ケーブルテレビ）によってコンテンツを配信するＣＡＴＶ放送部１３、ネットワークへの接続を仲介するインターネットサービスプロバイダ（ＩＳＰ）１４を備え、複数伝送路によりコンテンツ配信が可能となっている。
【００２０】
衛星放送部１１は、衛星放送用送信アンテナ１５を介して衛星１６に番組を送信する。衛星１６は、受信した番組を電波にして全国に発信する。衛星１６が発信した電波は、コンテンツ受信装置２０に接続された衛星放送用受信アンテナ２１によって受信される。コンテンツ受信装置２０は、衛星放送用受信アンテナ２１が受信した電波を画像や音声として出力する。衛星１６を介した放送では、情報の配信地域が広く、全国に同一の放送コンテンツが配信される。
【００２１】
地上波放送部１２は、地上波送信用アンテナ１７を介して電波を送信する。地上波送信用アンテナ１７から送信された電波は、コンテンツ受信装置２０の地上波受信用アンテナ２２によって受信される。コンテンツ受信装置２０は、地上波受信用アンテナ２２が受信した電波を画像や音声として出力する。地上波放送では、情報の配信地域は衛星放送よりは狭く、都道府県ごとなど、限られた地域に放送コンテンツが配信される。
【００２２】
ＣＡＴＶ放送部１３は、同軸ケーブルまたは光ファイバ等のケーブル１８を介してコンテンツ受信装置２０に番組を配信する。ケーブルテレビの番組は、ケーブル１８を敷設したユーザに配信される。
【００２３】
インターネットサービスプロバイダ１４とコンテンツ受信装置２０とは、電話線によるＤＳＬ、光ファイバ、あるいは無線などの通信回線１９によって接続されている。
【００２４】
なお、本実施の形態では、衛星、地上波、ＣＡＴＶ、インターネットなどの各媒体から配信される情報を受信するコンテンツ受信装置２０は、表示部、スピーカ等を備えたテレビジョン受像機に内蔵されたものとして記載するが、コンテンツ受信装置２０とテレビジョン受像機は必ずしも一体型である必要はなく、コンテンツ受信装置２０が受信機能を備えた機器であって、テレビジョン受像機に対して外部接続される場合も含む。
【００２５】
図２は、衛星放送部１１、地上波放送部１２、ＣＡＴＶ放送部１３などの配信部を有する放送局１０の主要部構成を示す図である。
【００２６】
放送局１０は、予め制作されたドラマ、ニュース、天気予報等の放送コンテンツのデータ（具体的には画像データや音声データ）を記憶する番組内容記憶部３１と、コンテンツの素材を撮影するカメラや音声を入力するマイク等を備えた撮影部３２とを備えている。スイッチ３３により、これらの蓄積された放送コンテンツとスポーツ中継等の生中継される放送コンテンツとが切り換えられるようになっている。
【００２７】
番組運行管理システム３４は、予め決められた放送スケジュールに従い、生放送のコンテンツを配信する場合にはスイッチ３３を撮影部３２へ、予め用意されたコンテンツを配信する場合にはスイッチ３３を番組内容記憶部３１へ切り換える。
【００２８】
番組内容記憶部３１または撮影部３２から出力された番組内容は、ＭＰＥＧ（Ｍｏｖｉｎｇ　Ｐｉｃｔｕｒｅ　Ｅｘｐｅｒｔ　Ｇｒｏｕｐ）エンコーダ３５ａに出力される。ＭＰＥＧエンコーダ３５ａは、入力した番組内容を符号化し、ＴＳパケットに変換し、多重化部３６に出力する。
【００２９】
ＭＰＥＧエンコーダ３５ａは、あるチャンネルのためのＴＳパケットを生成する。複数のチャンネルに配信される放送コンテンツを一つの周波数帯域に多重化して配信する場合、放送局１０には、複数のＭＰＥＧエンコーダ３５ａ、３５ｂ、３５ｃが必要である。これら各ＭＰＥＧエンコーダ３５は、単一の番組運行管理システム３４によって制御されている。全てのＭＰＥＧエンコーダ３５ａ、３５ｂ、３５ｃは作成したＴＳパケットを多重化部３６に出力する。
【００３０】
電子番組表生成部３７は、番組運行管理システム３４からの指示に従って電子番組表を生成し、生成した電子番組表をセクションデータに変換して多重化部３６に出力する。
【００３１】
データ放送生成部３８は、データ放送番組記憶部３９に記憶されたデータ放送の番組内容を読み出し、データ放送の番組内容をセクションデータを含むＴＳパケットに変換して多重化部３６に出力する。セクションデータとは、ＴＳ（Ｔｒａｎｓｐｏｒｔ　Ｓｔｒｅａｍ）パケットのペイロードに格納される形式のデータである。セクションデータに変換された電子番組表やデータ放送の番組内容は、多重化部３６によって時分割多重された一本のＴＳに多重化される。
【００３２】
番組特定情報生成部４０は、番組運行管理システム３４からの指示に従って、ＩＳＯ／ＩＥＣ　１３８１８−１で規定される番組特定情報ＰＳＩ（Ｐｒｏｇｒａｍ　Ｓｐｅｃｉｆｉｃ　Ｉｎｆｏｒｍａｔｉｏｎ）を生成する。ＰＳＩには、プログラム関連テーブル（ＰＡＴ：Ｐｒｏｇｒａｍ　Ａｃｃｅｓｓ　Ｔａｂｌｅ）、限定受信関連テーブル（ＣＡＴ：Ｃｏｎｄｉｔｉｏｎａｌ　Ａｃｃｅｓｓ　Ｔａｂｌｅ）、プログラムマップテーブル（ＰＭＴ：Ｐｒｏｇｒａｍ　Ｍａｐ　Ｔａｂｌｅ）などが含まれている。
【００３３】
多重化部３６は、番組運行管理システム３４から指示を受けて動作し、ＭＰＥＧのＴＳパケット化された放送コンテンツ、電子番組表、データ放送番組内容、番組内容特定情報等を時分割で多重化し変調器４１に出力している。多重化部３６において多重化された放送コンテンツのデータは、変調器４１において、各伝送路で送信可能な形式に変調される。変調器４１からの出力が図１に示す衛星放送部１１、地上波放送部１２、ＣＡＴＶ放送部１３、インターネットサービスプロバイダ（ＩＳＰ）１４に接続されている。
【００３４】
続いて、図３を参照して、番組特定情報生成部４０において生成されるＰＡＴ及びＰＭＴについて説明する。ＰＡＴと、ＰＭＴとの関係を示す図である。ＰＭＴは、放送されるチャンネルごとに１つ存在し、ＰＭＴとチャンネルとの関連は、ＰＡＴに記載されている。ＰＭＴの中には、番組を構成する音声、画像、および番組関連データなどのＰＩＤ（パケット識別子）が記載されている。ＰＩＤは、ＴＳパケットを構成するパケットに予め付けられた識別番号である。ＰＡＴのＰＩＤは、固定的に“０”に設定されている。
【００３５】
受信装置は、ある周波数に同調した後、ＰＩＤが０であるパケット、すなわち、ＰＡＴを最初に取得し、同調した周波数内に存在するすべてのチャンネルのＰＭＴのＰＩＤを取得する。
【００３６】
ＰＡＴの構造を図３に示す。ＰＡＴは、図３に示すように、ＰＩＤと、ＰＡＴ制御情報と、ＰＭＴのＰＩＤを記載している。ＰＡＴ制御情報は、ストリームを識別するトランスポートストリームＩＤやテーブル変更の有無を識別するバージョン情報等の制御情報を格納する。
【００３７】
図３の例では、ＡチャンネルのＰＭＴのＰＩＤは１０１であり、ＢチャンネルのＰＭＴのＰＩＤは２０１であり、ＣチャンネルのＰＭＴのＰＩＤは３０１である。受信装置は、ＰＡＴの記載をもとにＰＭＴのＰＩＤを取得する。
【００３８】
図３の中段には、ＡチャンネルのＰＭＴ１００の構成が示されている。ＰＭＴ１００は、ＰＩＤ１０１と、ＰＭＴ制御情報１０２と、エレメンタリＰＩＤ記述部１０３とから構成されている。図３の例では、Ａチャンネルの映像データのＰＩＤは１０２、Ａチャンネルの音声データのＰＩＤは１０３、Ａチャンネルの番組関連データのＰＩＤは１０４である。
【００３９】
ＰＭＴ１００のＰＭＴ制御情報１０２には、本発明の特徴である伝送路パラメータおよびコンポーネント記述子が格納される。ＰＭＴ１００は、図４に示すように、８ビットのテーブル識別番号２０１と、１ビットのセクションシンタクス指示２０２、１ビットの「０」２０３、２ビットのリザーブ２０４、１２ビットのセクション長２０５、１６ビットのチャンネル番号２０６、２ビットのリザーブ２０７、５ビットのバージョン情報２０８、１ビットのカレントネクスト指示２０９、８ビットのセクション番号２１０、８ビットの最終セクション番号２１１、３ビットのリザーブ２１２、１３ビットのＰＣＲＰＩＤ２１３、４ビットのリザーブ２１４、１２ビットのチャンネル情報長２１５、８×Ｎビットの番組別記述子領域２１６、８ビットのストリーム形式識別子２１７、３ビットのリザーブ２１８、１３ビットのエレメンタリＰＩＤ２１９、４ビットのリザーブ２２０、１２ビットのＥＳ情報長２２１、８×ＮビットのＥＳ別記述子領域２２２、３２ビットのＣＲＣ２２３から構成される。
【００４０】
ここで、ストリーム形式識別子２１７、リザーブ２１８、エレメンタリＰＩＤ２１９、リザーブ２２０、ＥＳ情報長２２１、ＥＳ別記述子領域２２２は、図４のエレメンタリＰＩＤ記述部１０３に対応し、残りの情報はＰＭＴ制御情報１０２に対応する。
【００４１】
ＰＭＴ１００の番組別記述子領域２１６には、本発明の特徴である伝送路パラメータが格納される。伝送路パラメータは、切換先の伝送媒体の物理的な情報を格納している。放送局は、伝送路パラメータにより、コンテンツ受信装置２０における伝送媒体の切り換えを制御する。
【００４２】
伝送路パラメータには、衛星放送に切り換えるときの伝送路パラメータと、地上波放送に切り換えるときの伝送路パラメータと、インターネットに切り換えるときの伝送路パラメータがある。以下、衛星放送に切り換えるときの伝送路パラメータを衛星用伝送路パラメータ、地上波放送またはＣＡＴＶに切り換えるときの伝送路パラメータは地上波／ＣＡＴＶ用伝送路パラメータ、インターネットに切り換えるときの伝送路パラメータをコンポーネントパラメータと記す。
【００４３】
衛星用伝送路パラメータ３００は、図５に示すように、８ビットの記述子タグ３０１と、８ビットの記述子長３０２と、３２ビットの周波数３０３と、１６ビットの軌道位置３０４と、１ビットの東経西経フラグ３０５と、２ビットの偏波３０６と、５ビットの変調方式３０７と、２８ビットのシンボルレート３０８と、４ビットの内符号３０９とから構成される。周波数３０３は伝送周波数を示し、軌道位置３０４と、東経西経フラグ３０５と、偏波３０６は、衛星１６の軌道と偏波を示す。変調方式３０７と、シンボルレート３０８と、内符号３０９とは、伝送方式に関する仕様を示す。図５に示した衛星用伝送路パラメータ３００の構成は、既存のシステムとの互換性をとるため、ＤＶＢ（Ｄｉｇｉｔａｌ　Ｖｉｄｅｏ　Ｂｒｏａｄｃａｓｔｉｎｇ）で規定されているデータ構成と同じものであるが、この構成と異なる構成でもよい。
【００４４】
地上波／ＣＡＴＶ用伝送路パラメータ４００は、図６に示すように、８ビットの記述子タグ４０１と、８ビットの記述子長４０２と、１２ビットのエリアコード４０３と、２ビットのガードインターバル４０４と、２ビットのモード情報４０５と、１６ビットの周波数４０６とから構成される。
【００４５】
エリアコード４０３は地上波の伝送される地域を示し、ガードインターバル４０４はガードインターバル長の有効シンボル長に対する比率を示す。周波数４０６は地上波の伝送周波数を示す。図６に示した地上波／ＣＡＴＶ伝送路パラメータ４００の構成は、既存のシステムとの互換性をとるため、ＡＲＩＢ（社団法人電波産業会）で規定されているデータ構成と同じものであるが、この構成と異なるものでもよい。
【００４６】
コンポーネントパラメータ５００は、図７に示すように、８ビットの記述子タグ５０１と、８ビットの記述子長５０２、４ビットのリザーブ５０３、４ビットのコンポーネント内容５０４、８ビットのコンポーネント種別５０５、８ビットのコンポーネントタグ５０６、２４ビットの言語コード５０７、８×Ｎビットのコンポーネント記述５０８から構成される。
【００４７】
コンポーネント内容５０４及びコンポーネント種別５０５は、エレメンタリＰＩＤ記述部１０２が示すＰＩＤが持つＴＳパケットの内容が映像であるか音声であるか番組関連情報であるかといったことを示す番号が記載されている。インターネット上のコンテンツは、ＭＰＥＧトランスストリームと異なるが、コンポーネント内容５０４およびコンポーネント種別５０５において、該当チャンネルのコンテンツがインターネット上に存在することを示す番号を記載することで、視聴者が選択したチャンネルがインターネット上に存在することを受信機に通知することが可能である。コンポーネント記述５０８にはチャンネル番号に対応するインターネットのＵＲＬ（Ｕｎｉｆｏｒｍ　Ｒｅｓｏｕｒｃｅ　Ｌｏｃａｔｏｒ）５０９が示される。
【００４８】
ＰＭＴ１００のカレントネクスト指示２０９は、ＰＭＴ１００の変更の有無を示す。カレントネクスト指示２０９が「１」のとき、ＰＭＴ１００は現在伝送しているＴＳパケットの情報を格納し、ＰＭＴの変更はない。カレントネクスト指示２０９が「０」のときＰＭＴ１００は次に伝送するＴＳパケットの情報を格納し、ＰＭＴの伝送路パラメータには次に伝送するパケットのための伝送路情報が記載されている。コンテンツ受信装置２０は、カレントネクスト指示２０９の値が「０」であるとき、ＰＭＴ１００の伝送路パラメータを読み出し、伝送路パラメータの値に従って伝送媒体を切り換える準備を行う。その後カレントネクスト指示２０９が「０」であったＰＭＴにおいてカレントネクスト指示２０９が「１」になり他の部分がそのままのＰＭＴを受信したタイミングで上記伝送パラメータを実際に使用するよう切り換えを行う。
【００４９】
次に、図８を参照してコンテンツ受信装置２０の構成について説明する。
【００５０】
コンテンツ受信装置２０は、衛星放送波、地上放送波、有線テレビ放送用ケーブル、ネットワーク通信回線などの伝送路から放送コンテンツのデータを受信し、
受信したデータをモニタやスピーカに出力する。
【００５１】
コンテンツ受信装置２０は、衛星放送受信用アンテナ２１、地上波放送受信用アンテナ２２、またはＣＡＴＶのケーブル１８から伝送された放送コンテンツ（番組内容）のＴＳパケット、電話線などのネットワーク通信回線１９から伝送されたＩＰパケットを入力する。
【００５２】
衛星放送用復調回路５１は、衛星放送受信用アンテナ２３と接続され、衛星放送受信用アンテナ２３で受信された電波を復調する。また、地上波放送用復調回路５２は、地上波放送用受信アンテナ２２と接続されており、地上波放送受信用アンテナ３２で受信された電波を復調する。ＣＡＴＶ用復調回路５３は、ＣＡＴＶのケーブル１８からの信号を復調する。
【００５３】
衛星放送用復調回路５１、地上波放送用復調回路５２、ＣＡＴＶ用復調回路５３は、復調したデータを復調回路切換スイッチ５４に出力する。復調回路切換スイッチ５４は、制御回路５５により制御されており、制御回路５５は、入力装置５６からの入力もしくは後述する伝送パラメータの値に基づいて復調回路切換スイッチ５４を切り換える。入力装置５６は、例えば、リモートコントローラであり、チャンネル切り換えを入力させるためのチャンネル切り換えボタンが設けられている。入力装置５６は、チャンネル切り換えボタンの押下を検出し、制御回路５５にチャンネル番号を出力する。制御回路５５は、復調回路切換スイッチ５４を選択されたチャンネルに対応する伝送路に切り換える。
【００５４】
多重分離回路５７は、各復調回路の何れかから入力したＴＳパケットのＰＡＴを読み出し、ユーザから指示されたチャンネル番号に対応するＰＭＴのＰＩＤを検索する。多重分離回路５７は、復調回路５１、５２、５３から入力したパケットのＰＩＤと、ＰＭＴが格納するパケットのＰＩＤとを比較し、入力したパケットが音声データであるか、画像データであるか、番組関連情報であるかを識別する。多重分離回路５７は、識別したデータのタイプを制御回路５５に出力し、制御回路５５は入力したデータのタイプに応じて、データタイプ切換スイッチ５８を切り換える。
【００５５】
データタイプ切換スイッチ５８は、制御回路５５の制御に従いスイッチを切り換え、多重分離回路５７から音声データが出力される際には、多重分離回路５７と音声デコーダ５９を接続し、多重分離回路５７から画像データが出力される際には、多重分離回路５７と画像デコーダ６０とを接続し、多重分離回路５７から番組関連情報が出力される際には、多重分離回路５７と番組関連情報解読部６１を接続させる。
【００５６】
音声デコーダ５９は、音声データを復号し、出力切換スイッチ６３に出力する。画像デコーダ６０は画像データを復号し、画面情報生成回路６２に出力する。番組関連情報解読部６１は、番組関連情報を解読し、チャンネル番号や音声モード（モノラル、ステレオ、二ヶ国語）等のＯＳＤ（Ｏｎ　Ｓｃｒｅｅｎ　Ｄｉｓｐｌａｙ）情報を生成し、画面情報生成回路６２に出力する。画面情報生成回路６２は、画像デコーダ６０から出力された映像にＯＳＤ情報を多重化して、多重化した画像を出力切換スイッチ６３に出力する。
【００５７】
出力切換スイッチ６３は、制御回路５５からの制御信号に従い、インターネットを介した情報と、放送局を介した情報とを切り換える。これにより、音声デコーダ５９からの出力はＤ／Ａ変換回路６４に入力され、画面情報生成回路６２から出力は、Ｄ／Ａ変換回路６５に入力される。Ｄ／Ａ変換回路６４は、音声データをアナログデータに変換し、スピーカ６６に出力する。Ｄ／Ａ変換回路６５は、画像データをアナログデータに変換し、モニタ６７に出力する。
【００５８】
ネットワーク通信回線１９より放送コンテンツが送られる場合、例えば、本具体例では、ネットワークは、いわゆるインターネットの場合、モデムやターミナルアダプタといったネットワークインターフェイスである変復調回路６８によって通信回線１９から伝送路情報を含む放送コンテンツのデータが受信される。また、変復調回路６８では、伝送されたデジタル信号をアナログ信号に変調したり、伝送するためのアナログ信号をデジタル信号に復調したりする。
【００５９】
パケット処理部６９は、変復調回路６８から出力されたデジタル信号をデータ列として扱える形式に変換する。パケット解析部７０は、パケット構成を解析し、パケットが格納する音声データや画像データをストリームデコーダ７１に出力する。ストリームデコーダ７１はパケット解析部７０からの音声データや画像データを復号し、出力切換スイッチ６３に出力する。
【００６０】
制御回路５５は、出力切換スイッチ６３を切り換え、インターネットの情報をスピーカ６６やモニタ６７といった出力装置に出力する場合、ストリームデコーダ７１とＤ／Ａ変換回路６４、９７とを接続させる。
【００６１】
Ｄ／Ａ変換回路６４は、ストリームデコーダ７１から出力される音声データをアナログ信号に変換しスピーカ６６に出力する。Ｄ／Ａ変換回路６５は、ストリームデコーダ７１から出力される画像データをデジタル信号に変換しモニタ６７に出力する。
【００６２】
制御回路５５は、コンテンツ受信装置２０の各ブロックを制御するほかに、伝送路の切り換え処理を行う。
【００６３】
制御回路５５は、各伝送路より伝送されるＴＳパケットのＰＭＴ２００のカレントネクスト指示２０９の値を読み出す。制御回路５５は、カレントネクスト指示２０９が「０」から「１」に切り換わったとき、伝送路の切り換え処理を開始する。
【００６４】
制御回路５５は、伝送路を衛星放送に切り換える場合、番組別記述子領域２１６に格納された衛星用伝送路パラメータ３００を読み出す。制御回路５５は、復調回路切換スイッチ５４を衛星放送用復調回路５１に切り換え、復調回路に衛星用伝送路パラメータ３００を出力する。衛星放送用復調回路５１は、衛星用伝送路パラメータ３００の値に基づいて衛星１６からの電波を復調する。復調した電波は電気信号として多重分離回路５７に出力される。
【００６５】
制御回路５５は、カレントネクスト指示２０９に応じて、伝送路を切り換える。例えば、衛星放送から地上波放送に切り換える場合、番組記述子領域２１６に格納された地上波／ＣＡＴＶ用伝送路パラメータ４００を読み出し、復調回路切換スイッチ５４を地上波放送用復調回路５２に切り換え、地上波／ＣＡＴＶ用伝送路パラメータ４００を地上波放送用復調回路５２に出力する。地上波放送用復調回路５２は、地上波／ＣＡＴＶ用伝送路パラメータ４００の値に従って、地上波放送受信用アンテナ３２が受信した電波を復調し、復調した電波を多重分離回路５７に出力する。
【００６６】
また、例えば、ケーブルテレビに切り換える場合、番組記述子領域２１６に格納された地上波／ＣＡＴＶ用伝送路パラメータ４００を読み出し、復調回路切換スイッチ５４をＣＡＴＶ用復調回路４１に切り換え、ＣＡＴＶ用復調回路４１に地上波／ＣＡＴＶ用伝送路パラメータ４００を出力する。ＣＡＴＶ用復調回路４１は、地上波／ＣＡＴＶ用伝送路パラメータ４００の値に従い、ケーブル１８を介して伝送された信号を復調し、多重分離回路５７に出力する。
【００６７】
伝送路をネットワーク通信回路１９に切り換える場合、制御回路５５は、番組記述子領域２１６に格納されたコンポーネントパラメータ５００を読み出し、コンポーネント記述部５０８に記述されたＵＲＬをパケット解析部７０に出力するとともに、出力切換スイッチ６３をストリームデコーダ７１に切り換える。
【００６８】
パケット解析部７０は、コンポーネント記述部５０８にアクセスし、コンテンツの返信を要求する。パケット解析部７０は、コンテンツが返信されると、返信されたコンテンツをストリームデコーダ７１に出力する。ストリームデコーダ７１は、コンテンツをデコードし、出力切換スイッチ６３に出力する。出力切換スイッチ６３は、制御回路５５の制御により、ストリームデコーダ７１側に切り換えられており、ストリームデコーダ７１からの出力は、Ｄ／Ａ変換回路６４、６５に入力され、スピーカ６６及びモニタ６７に出力される。
【００６９】
【発明の効果】
以上詳細に説明したように、本発明にかかるデジタル放送システムは、放送局において、放送コンテンツのデータに次に送信されるデータの伝送路情報を付加して各伝送路にて送信可能なデータ形式に変換して送信することにより、伝送路情報を含む放送コンテンツのデータを受信した受信装置では、ユーザ（視聴者）からの操作なくして放送コンテンツの伝送路が切り換えられる。これにより送信装置（放送局）側において、複数の伝送路から最適な伝送路、或いは所望とする伝送路へユーザを誘導できる。
【００７０】
これにより、伝送路の形態に応じて、ユーザに対して供給できる情報のバリエーションや情報量が増える。また、周波数帯域を有効利用できる。
【図面の簡単な説明】
【図１】デジタル放送システムの構成を示す図である。
【図２】放送局の構成を示す図である。
【図３】ＰＡＴおよびＰＭＴの関係を示す図である。
【図４】ＰＭＴの構成を示す図である。
【図５】衛星用伝送路パラメータの構造を示す図である。
【図６】地上波／ＣＡＴＶ用伝送路パラメータの構造を示す図である。
【図７】コンポーネントパラメータの構造を示す図である。
【図８】コンテンツ受信装置の構成を示す図である。
【符号の説明】
１　デジタル放送システム、１０　放送局、１１　衛星放送部、１２　地上波放送部、１３　ＣＡＴＶ放送部、１４　インターネットサービスプロバイダ、１５　衛星放送用送信アンテナ、１６　衛星、１７　地上波送信用アンテナ、１８ケーブル、１９　通信回線、２０　コンテンツ受信装置、２１　衛星放送用受信アンテナ、２２　地上波受信用アンテナ、３４　番組運行管理システム、３５ａ、３５ｂ、３５ｃ　ＭＰＥＧエンコーダ、３６　多重化器、４１　変調器、５１　衛星放送用復調回路、５２　地上波放送用復調回路、５３　ＣＡＴＶ用復調回路、５４　復調回路切換スイッチ、５５　制御回路、５６　入力装置、６３　出力切換スイッチ、６８　変復調回路、６９　パケット処理部、７０　パケット解析部、７１　ストリームデコーダ、１００　ＰＭＴ、２０９　カレントネクスト指示、２１６　番組別記述子領域、３００　衛星用伝送路パラメータ、４００地上波／ＣＡＴＶ用伝送路パラメータ、５００　コンポーネントパラメータ、
【図１】
2004135170.tif 000003
【図２】
2004135170.tif 000004
【図３】
2004135170.tif 000005
【図４】
2004135170.tif 000006
【図５】
2004135170.tif 000007
【図６】
2004135170.tif 000008
【図７】
2004135170.tif 000009
【図８】
2004135170.tif 000010